(57)【要約】【課題】  容器の開蓋工具および開蓋方法において、容器本体に触れることなく開蓋でき、比較的低荷重で開蓋できるようにする。【解決手段】  支持部材２とレバー３とが、大略十字状に交差し、レバー３の先端にフック３ｃが設けられた開蓋工具１を用いて、係止部３ｅを蓋７の蓋周側部下端に係止し、支点軸２ａを点Ｐで蓋天面上に当接させる。そして、操作部３ａを蓋側に押して、てこ作用により蓋７を開蓋する。【選択図】      図３
2005075455.tif 000002
【特許請求の範囲】
【請求項１】
開口を有する容器本体と前記開口に嵌め込む蓋とを備え、該蓋が開口に面する蓋天面と該蓋天面の外周部から延ばされた蓋周縁部とを有する容器の開蓋工具であって、
前記蓋の上に載置されて両側が蓋周縁部に重なる支持部材と、該支持部材に交差して固定され、その一端側に前記蓋周縁部に係合可能な係合部を有するとともに、他端側に操作部を有するレバーを備え、
前記操作部を押すことにより、前記支持部材を支点として前記係合部によって前記蓋周縁部を開蓋させるようにした容器の開蓋工具。
【請求項２】
前記支持部材に対する前記レバーの固定位置が前記レバーの長手方向に可変とされた請求項１に記載の容器の開蓋工具。
【請求項３】
開口を有する容器本体と該容器本体に蓋周縁部を嵌合させて開口を密閉する蓋とを有する容器の開蓋方法であって、
請求項１または２に記載の開蓋工具の支持部材をその両側が前記蓋周縁部に重なるように前記蓋上に載置し、前記レバーの操作部を押すことにより、前記支持部材と前記蓋との当接部を支点としてレバーを回動させることで、係合部によって蓋周縁部の一部を開蓋させるようにした容器の開蓋方法。
【発明の詳細な説明】
【技術分野】
【０００１】
本発明は、容器の開蓋工具および開蓋方法に関する。特に、インキなどの各種の液状またはペースト状等の内容物を気密に密閉するインキ缶などの容器の開蓋工具および開蓋方法に関する。
【背景技術】
【０００２】
従来、空気に触れると酸化するなどして変質する液体、例えば酸化重合型のインキなどを保管するインキ缶は、開口を有する容器本体にインキを充填し、内部から空気を吸引して減圧した状態で、例えば窒素などの不活性ガスに置換するなどして、空気を排除した後、蓋をして密閉している。これはインキ缶内に充填したインキの表面が空気に接触すると乾燥硬化して皮張りといわれる皮膜が形成されてしまうからである。
このような容器として、いわゆる２ピース缶、３ピース缶が知られている。
図６に示したインキ缶１０（容器）は２ピース缶の例であり、絞り加工などで一体に成形された容器本体１１と蓋７との２部品で構成されたものである。また、図７に示したインキ缶６（容器）は３ピース缶の例である。すなわち、容器本体８と蓋７とからなるが、容器本体８は平板を丸めて端部を溶接した胴部８ａとその端部を塞ぐ底部８ｂとから構成されるため、合計３部品で構成されている。容器本体８、１１の開口部には、胴カール部８Ａ、１１ａがそれぞれ設けられている。
特許文献１には、そのような３ピース缶の一例である、開口部と蓋との間にシール手段を有するインク用胴板溶接接合缶（以下、接合缶と略称する）が記載されている。
接合缶の開口部には、外側に溶接缶胴上端周縁カール部（図７（ｂ）の蓋周側部側面７ｂおよび蓋カール部７ｃに相当）が設けられ、天蓋の裏側の外周方向に沿って設けられたシール材（図７（ｂ）のシーリング材７ｅに相当）が溶接缶胴上端周縁カール部（図７（ｂ）の胴カール部８Ａに相当）の上端に当接し、天蓋の外周から延ばされた周縁カール部が溶接缶胴上端周縁カール部を外側から覆っている。そして、周縁カール部を外周方向からかしめることにより周方向にインビード（図７（ｂ）のカシメ部７Ｃに相当）を形成し、その内面側を溶接缶胴上端周縁カール部の側方に当接することにより、シール材を圧縮しつつ天蓋の抜け止めを形成するようになっている。
このような構成では、開蓋する際、カシメ部７Ｃが溶接缶胴上端周縁カール部を乗り越えるまで蓋を持ち上げる必要があり、開缶具が無い場合には接合缶内部が減圧されている場合でも相当の開蓋力を要する。そこで、天蓋の周縁カール部の下方側に、接合缶側面に突出して周方向に延びるアウトビード（図７（ｂ）のビード部８ｃに相当）を形成して、アウトビードと天蓋の周縁カール部端部との間を離隔させる開缶具が利用されていた。
この開缶具は蝶型のつまみ部の中央先端に偏平断面を有する突起を形成したもので、突起の断面短手寸法はアウトビードと周縁カール部端部との隙間よりわずかに小さい寸法とされ、断面長手寸法はインビードが溶接缶胴上端周縁カール部を乗り越えるのに必要な寸法とされている。そして、隙間に突起を差し入れ、つまみ部を回転させることにより、天蓋を部分的に持ち上げて隙間を広げるものである。
【特許文献１】登録実用新案第３０７５４３９号公報（第５−７頁、図１−２）
【発明の開示】
【発明が解決しようとする課題】
【０００３】
しかしながら、上記のような従来の開蓋工具および開蓋方法によれば、以下のような問題があった。
上記の開缶具によれば、つまみ部と突起の寸法関係により、回転力を調整できるものの、つまみ部の大きさが指で操作しやすい大きさに制限されるので、開蓋力を大幅には低減することはできないという問題があった。そのため、腕力に乏しい作業者やユーザにとってはきわめて扱いにくいという問題があった。
また上記の開蓋方法によれば、開缶具を天蓋と容器本体に設けられたアウトビードとの間に差し込んで隙間を広げる必要があるが、容器にアウトビードを設けると、容器内部の液体がアウトビードの内側の溝（図７（ｂ）のビード内周溝８ｄに相当）に入り込んで外部に排出できなくなっていた。そのため、その容積分の液体が容器内に無駄に残留してしまうため不経済であるという問題があった。
またアウトビードを有することにより、上方向から荷重をかけて蓋を閉じる際に、その部分から上下方向に変形が起こりやすくなっていた。そこで、例えば板厚を増すなどして、容器本体の強度を上げる必要があり、容器の製作コストが高くつくという問題があった。
【０００４】
本発明は、このような問題に鑑みてなされたものであって、開口を有する容器本体と開口に嵌め込む蓋とを備え、蓋が開口に面する蓋天面と蓋天面の外周部から延ばされた蓋周縁部とを有する容器において、容器本体に触れることなく開蓋でき、比較的低荷重で開蓋できる容器の開蓋工具および開蓋方法を提供することを目的とする。
【課題を解決するための手段】
【０００５】
上記の課題を解決するために、本発明に係る容器の開蓋工具は、開口を有する容器本体と開口に嵌め込む蓋とを備え、蓋が開口に面する蓋天面と蓋天面の外周部から延ばされた蓋周縁部とを有する容器の開蓋工具であって、蓋の上に載置されて両側が蓋周縁部に重なる支持部材と、支持部材に交差して固定され、その一端側に前記蓋周縁部に係合可能な係合部を有するとともに、他端側に操作部を有するレバーを備え、操作部を押すことにより、支持部材を支点として係合部によって蓋周縁部を開蓋させるようにしたものである。
そのため、係止部が蓋周縁部に係止されて、てこの作用点を構成し、支持部材がその両側で蓋周縁部の上側で蓋上に当接することにより、てこの支点を構成できる。そして、操作部を押して支点を中心にレバーを回動することにより、レバーの一端側に設けられた係合部により蓋周縁部が回動され、てこ作用により開蓋される。したがって、操作部を押して回動させるという力を入れやすい姿勢での開蓋作業を行うことができる。
また、開蓋工具は、容器本体と接触させる必要がないので、容器本体に反力をとるための特別な形状、例えば外周に外側に突出するビード形状など設けない容器でも開蓋できる。このような容器では容器本体の上下方向の強度や液体利用効率を向上できる。
【０００６】
本発明に係る容器の開蓋方法は、開口を有する容器本体と容器本体に蓋周縁部を嵌合させて開口を密閉する蓋とを有する容器の開蓋方法であって、請求項１または２に記載の開蓋工具の支持部材をその両側が蓋周縁部に重なるように蓋上に載置し、レバーの操作部を押すことにより、支持部材と蓋との当接部を支点としてレバーを回動させることで、係合部によって蓋周縁部の一部を開蓋させる方法である。
そのため、てこの支点、作用点を容器本体に設けないので、容器本体に反力をとるための形状を設けることなく、てこ作用を用いた開蓋を行うことができ、汎用性のある開蓋方法とすることができる。したがって、例えば外周方向に張出すビード形状などを備えない容器本体であっても容易に開蓋できる。
【発明の効果】
【０００７】
本発明の容器の開蓋工具および開蓋方法によれば、容器本体に触れることなく開蓋でき、安定した体勢で比較的低荷重で開蓋できるので、容器本体の形状に依存しない汎用的な開蓋を行うことができ、不慣れな作業者であっても容易に開蓋することができるという効果を奏する。
【発明を実施するための最良の形態】
【０００８】
また本発明に係る容器の開蓋工具は、支持部材に対するレバーの固定位置がレバーの長手方向に可変とされることが好ましい。これにより、蓋の大きさが異なる容器であっても開蓋工具を共通化して開蓋することができる。また、蓋の大きさが同じ場合には開蓋力を容易に可変することができる。
【実施例】
【０００９】
以下では、本発明の一実施例を、添付図面を参照して説明する。なおすべての図面において、同一または相当する部材には同一符号を付し、重複する説明を省略する。
図１は、本発明の実施例に係る開蓋工具を説明するための斜視全体説明図である。図２は、同じく開蓋工具の詳細構成を示す斜視説明図である。図３（ａ）は、図２におけるＡ−Ａ断面図である。図３（ｂ）は、図２におけるＢ視説明図である。図４は、図２における平面視説明図である。
【００１０】
本発明の実施例に係る開蓋工具１について説明する。開蓋工具１は、例えば図６、７のインキ缶１０、６などの容器を開蓋するための工具である。すなわち、２ピース缶、３ピース缶を問わず開蓋することができるものである。
ここで、インキ缶１０、６において容器本体１１、８を覆って密閉する蓋７の形状について説明する。
蓋７は、図６（ｂ）、７（ｂ）に示したように、中央部が容器本体１１、８の内周形状（本実施例では円形）に略沿って陥没した平面状とされた蓋天面７Ａと、その外周側で、容器本体１１、８の端部を内周側から外周側にまたぐように湾曲されて下方に延ばされた蓋周縁部７Ｂとからなる。
蓋周縁部７Ｂは、さらに上側の湾曲を形成する蓋周縁部上面７ａと、下方に延ばされて胴部を側方から覆う蓋周縁部側面７ｂと、その下端の外周側にカーリングにより設けられた蓋カール部７ｃとからなる。そして、蓋周縁部上面の裏面側に形成された溝には全周にわたり、適宜の弾性を有するシーリング材７ｅが設けられている。
そして、閉蓋される際、蓋周縁部側面７ｂは側方からかしめられ、カシメ部７Ｃが形成されている。
【００１１】
開蓋工具１の概略構成は、平面視略十字状に交差して固定された支持部材２とレバー３とからなる。
支持部材２は、例えば金属製の真直な角棒からなる支点軸２ａの中央部に、高さ方向に断面を増強するための補強部２ｂを接合し、その両端部を蓋７上の蓋周縁部上面７ａに載置可能とされた部材である。
補強部２ｂは、レバー３の蓋周縁部上面７ａからの高さを少し高くして該レバーを回動したときに該上面７ａに当たりにくくし、これによって開蓋が容易に行えるようにする作用もある。
レバー３は、図３に示したように、側面視逆へ字状に屈曲された角棒の一端側にフック３ｃ（係合部）が形成され、例えばボルト４により固定されている。また他端側には、手で握りやすい形状の操作部３ａが形成される。
フック３ｃは、先端に蓋カール部７ｃを下方から係合するための鉤状の係止部３ｅが形成される。
レバー３の中間部には、固定用ねじ穴３ｄ…が適宜ピッチで設けられ、ボルト５を支持部材２に挿通していずれかの固定用ねじ穴３ｄと螺合することにより支持部材２が固定されるようになっている。
【００１２】
レバー３は、平面視で支持部材２を略垂直２等分するように固定される。また側面視では逆へ字の凸側方向（図３（ａ）の下側方向）に補強部２ｂと当接するようにして、レバー３の長手方向においてフック３ｃ側に偏った位置に固定される。
【００１３】
このような開蓋工具１は、図３（ａ）、図４に示したように、蓋７の上側に支点軸２ａを載置して、係止部３ｅを下方から蓋カール部７ｃに係止させ（係止される点を点Ｑと称する）、レバー３が蓋７の略中央を通るようにしたとき、支点軸２ａの両端部が少なくとも蓋周縁部７Ｂの上側をまたぐことができる寸法を有する構成とされている。
すなわち、支点軸２ａのフック３ｃ側の稜線上で点Ｐ（図３（ａ）参照）が蓋周縁部上面７ａと当接し、少なくとも支点軸２ａの両端側の点Ｐ１、Ｐ２の２支点が形成される。
【００１４】
蓋７をより開けやすくするためには、点Ｐ１、Ｐ２を結ぶ線分は蓋７の中心よりずれた位置として、係止部３ｅ側からの距離を短くすることが好ましい。例えば直径を１：２に分割するような中間位置あるいはその近傍位置とすることが好ましい。そうすれば、蓋７のうち開蓋される周長が小さくて済むので容易に開蓋することができる。
【００１５】
このような構成の開蓋工具１を用いてインキ缶６を開蓋する容器の開蓋方法について説明する。
図５（ａ）、（ｂ）は、本発明の実施例に係る容器の開蓋方法について説明するための側面視の動作説明図である。
開蓋工具１を、係止部３ｅに蓋カール部７ｃを係止し、支点軸２ａが点Ｐ１、Ｐ２において蓋周縁部上面７ａと当接するように配置する（図１参照）。
そして、操作部３ａを持って上方から蓋７に近づける方向に押す。すると、開蓋工具１において、点Ｑを作用点、点Ｐ（Ｐ１、Ｐ２）を支点、操作部３ａを力点とする、てこが形成される。
そして、レバー３が点Ｐ（Ｐ１、Ｐ２）を中心に回動され、図５（ｂ）に示したように、係止部３ｅにより、蓋カール部７ｃに押圧力が作用し、蓋７が上方側に回動されて湾曲する。その結果、胴カール部８Ａとシーリング材７ｅが離隔し、蓋７の密封状態が解除され、蓋７が開かれる。
【００１６】
このようにいったん周方向の一部が開蓋されると、あとは手などで軽く押し開いてさらに開口を広げることが容易にできるようになり全面的に開蓋できる。したがって、蓋７がわずかに湾曲して、密閉が失われた時点で開蓋工具１の使用をやめることができる。そのため、蓋７を大きく変形させなくてよいので、必要ならば開蓋された蓋７を再装着することが可能である。
【００１７】
このとき、点Ｐ１、Ｐ２とを結ぶ直線と蓋中心線９との距離を距離Ｌ２とし、同じく点Ｑとの距離を距離Ｌ１とし、蓋カール部７ｃの直径を径Ｄ１とする（図４参照）。距離Ｌ１は上記に述べたことから、少なくとも０＜Ｌ１＜（Ｄ１／２）とされている。一方、支持部材２の固定位置から操作部３ａまでの概略長さを長さＬ３とすると、Ｌ１＜Ｌ３の関係にある。
したがって、開蓋工具１のてこ比は、Ｌ３：Ｌ１となる。これらの数値を変えることにより、開蓋に要する押圧荷重を調整することができる。本実施例によれば、例えば、図４に示したように、よりフック３ｃに近い側の固定用ねじ穴３ｄに支持部材２の固定位置を変えることにより、距離Ｌ１を短くすることができる。その結果、てこ比を大きくすることができ、より低荷重での開蓋作業を行うことができる。
【００１８】
このような本実施例の容器の開蓋方法によれば、開蓋工具１を蓋７のみに係止、当接させることにより開蓋できるので、容器本体８の形状に依存することなく開蓋することができる。また、容器本体８に開蓋の際に反力をとるための、例えば胴部８ａの外周方向に張出すビード形状などの形状を設ける必要がない。そのようなビード形状を設けると、上方向から荷重をかけて蓋を閉める際に上下方向に変形しやすくなるので、蓋７を装着するための圧縮力に抗するため胴部８ａの板厚を増したりする必要があったが、本実施例の開蓋方法によれば、容器本体８の胴部８ａを単純な筒状形状とすることができ、上下方向に変形する恐れが少ない強度に優れた形状を採用することができるという利点がある。また、インキ缶６の製作コストも低減することができるという利点がある。
【００１９】
また、このような本実施例の開蓋工具１によれば、操作部３ａを蓋７に向けて上方から押すことにより、開蓋作業を行うことができる。つまり、インキ缶６の上方からレバー３に体重をかけるなどの動作により、自然に荷重を加えやすいので、開蓋に不慣れな作業者であっても容易に開蓋作業ができるという利点がある。
【００２０】
また、本実施例の開蓋工具１によれば、操作部３ａに加えられた押圧荷重は、フック３ｃおよび支点軸２ａに伝達され、支点軸２ａに伝達された荷重は、点Ｐ１、Ｐ２に振り分けられて、蓋周縁部７Ｂを介して、容器本体８の軸方向に伝達される。したがって、支点における押圧荷重は、下側を支持されていない蓋天面７Ａには伝達されないので、蓋７の変形が少ない開蓋を行うことができるという利点がある。
また、作用点と力点とを挟んで側方の２箇所に支点が形成されることにより、開蓋工具１を安定支持することが可能となっている。したがって、開蓋に不慣れな作業者であって安定して作業することができ、失敗のない作業を行うことができるという利点がある。
【００２１】
なお、上記の説明では、支持部材、レバーとして、真直または屈曲した角棒を用いた例で説明したが、このような棒状部材に限定されるものではない。支点、力点が形成できれば、適宜の形状・断面により構成することができる。例えば、板金を折り曲げた形状としてもよいし、支持部材とレバーを一体成形して製作してもよい。
【００２２】
また、上記の説明では、支点が蓋周縁部の上側に２点形成される例で説明したが、てこ支点が形成できれば、２点に限定されるものではない。例えば、一直線状に３点以上の支点が形成されてもよいし、蓋の上面が平面とされている場合に支持部材の直線部分を線接触して支点が形成されてもよい。これらの場合、蓋の剛性によっては、より容易に開蓋できる場合がある。
【００２３】
また、上記の説明では、容器として円筒缶を例にとって説明したが、蓋に鉤状部が係止でき、蓋天面上に支点が設けられれば、容器の断面形状は円筒に限定されないことは言うまでもない。
【図面の簡単な説明】
【００２４】
【図１】本発明の実施例に係る開蓋工具を説明するための斜視全体説明図である。
【図２】同じく開蓋工具の詳細構成を示す斜視説明図である。
【図３】図２におけるＡ−Ａ断面図およびＢ視説明図である。
【図４】図２における平面視説明図である。
【図５】本発明の実施例に係る容器の開蓋方法について説明するための側面視の動作説明図である。
【図６】従来のいわゆる２ピース缶容器を説明するための部分断面説明図および部分拡大説明図である。
【図７】従来のいわゆる３ピース缶容器を説明するための部分断面説明図および部分拡大説明図である。
【符号の説明】
【００２５】
１  開蓋工具
２  支持部材
２ａ  支点軸
３  レバー
３ａ  操作部
３ｃ  フック（係合部）
３ｄ  固定用ねじ穴
３ｅ  係止部
４、５  ボルト
６、１０  インキ缶（容器）
７  蓋
７Ａ  蓋天面
７Ｂ  蓋周縁部
７Ｃ  カシメ部
７ａ  蓋周縁部上面
７ｂ  蓋周縁部側面
７ｃ  蓋カール部
７ｅ  シーリング材
８、１１  容器本体
８Ａ  胴カール部
８ａ  胴部
８ｃ  ビード部
【図１】
2005075455.tif 000003
【図２】
2005075455.tif 000004
【図３】
2005075455.tif 000005
【図４】
2005075455.tif 000006
【図５】
2005075455.tif 000007
【図６】
2005075455.tif 000008
【図７】
2005075455.tif 000009